(57)【要約】【課題】  環境負荷の少なく、施工がしやすい自然素材の建物断熱材を提供する【解決手段】  中性洗剤またはオゾンで洗浄された天然羽毛を、防虫・難燃化するためにホウ酸化合物と混ぜ、縫い代をタッカー留めに使用する形状の布等を袋状にしたものに詰め、建物の断熱材とする。【選択図】  図２
2006057427.tif 000002
【特許請求の範囲】
【請求項１】
洗浄された天然羽毛を、袋に詰めた建物の断熱材。
【請求項２】
洗浄された天然羽毛にホウ酸化合物を混ぜあわせた請求項１の建物の断熱材。
【請求項３】
袋状にするときの縫い代を、現場での施工時に留めるために利用する形状を特徴とする請求項１の建物の断熱材。
【発明の詳細な説明】
【技術分野】
【０００１】  本発明は、建物断熱材に関する発明である。
【背景技術】
【０００２】  従来、建物の断熱に使われている材料の使用割合は、２０００年３月時点で非自然素材のもので９８．５％（内訳：グラスウール６４．２％とロックウールで９．４％、発泡プラスチック系が２４．９％）であり、残り１．５％が自然素材系である。自然素材系の約半分となる０．７％をセルロースファイバーが占めている。（非特許文献１参照）
自然素材系といわれるものには、木質繊維、セルロースファイバー、植物繊維、炭化コルク、羊毛等がある（非特許文献２参照）。これらの自然素材系をより細かく、非特許文献３に示されている。また、インターネットで各種建材を扱う主なサイトとして、「ａｒｃｈｉｍａｐ」「ｄｂｎｅｔ」がある。これらの文献や先の２つのサイトにおいて、２００４年７月現在では、羽毛を用いた断熱材は掲載されていない。
先行出願されたものでは、「天然羽毛繊維断熱材」があり、羽毛の繊維を利用する断熱材を開発されている。（特許文献１参照）【０００３】
【非特許文献１】著作：西方里見  文献名：「外断熱」が危ない！  発行社：エックスナレッジ  ２００３年２月２０日第３刷発行  Ｐ．１５７
【非特許文献２】著作：野池政宏  文献名：建築知識  ２００４年６月号  発行社：エックスナレッジ  ２００４年６月１日発行  Ｐ．１６８  記事名：自然素材断熱材の選び方
【非特許文献３】非特許文献１のＰ．１７１
【特許文献１】特許公開２００２−０５４０６６
【発明の開示】
【発明が解決しようとする課題】
【０００４】  日本では、建物の断熱に非自然素材が９８．５％使われており、環境に対する負荷が高い素材が主流である。
最も普及しているグラスウールを用いた充填断熱の内部結露の実験結果として、防湿フィルム付きグラスウールで内部結露を発生させており（非特許文献４参照）、素材そのものや工法に改良が必要な状況にある。
非自然系素材の建物断熱材は、室内側と室外側の湿度と気温の変化により結露発生させる。壁内結露を防ぐため、室内側には防湿シート、室外側には外壁通気層が必要となる。（非特許文献１Ｐ．５０参照）。また、２４時間換気をして室内側の湿度を強制的に制御する方法もある。施工中には防湿シートが破れないよう、隙間なく張る必要があり、施工に十分な注意を要する。
一方、自然素材は吸放湿性があり、素材そのものが結露しにくい（非特許文献２Ｐ．１６９参照）ため、高度の気密化は不要となり、施工の際、防湿シートが不要（非特許文献１  Ｐ．１１６参照）であり、環境負荷も少なく、優れた素材である。
最も自然素材として普及しているセルロースファイバーの現場吹き込み工法では、室内側に防水透湿シートが不要で、隙間なく充填できるなどのメリットは多いが、工法が特殊であり専門業者にて施工する必要があり、ほかの断熱材に比べ割高である（非特許文献３参照）。
本発明では、安価で精度の高い施工が容易な自然素材の断熱材を提供するものである。【０００５】
【非特許文献４】著作：藤本哲夫・黒木勝一  文献名：建材試験情報  ２００３年２月号  Ｖｏｌ．３９号  発行：財団法人建材試験センター  ２００３年２月発行  Ｐ．１０  記事名：木造軸組断熱工法における結露に関する実験的研究
【課題を解決するための手段】
【０００６】
【請求項１】
洗浄された天然羽毛を、袋に詰めた建物の断熱材。
【請求項２】
洗浄された天然羽毛にホウ酸化合物を混ぜあわせた請求項１の建物の断熱材。
【請求項３】
生地を袋状にするときの縫い代を、現場での施工時に留めるために利用する形状を特徴とする請求項１の建物の断熱材。
【発明の効果】
【０００７】（イ）  食肉用に飼育されている鳥類の羽毛の多くは、廃棄されており、その羽毛を利用することで、廃棄物が減る。羽毛布団では、保温性能のほかに、軽さ、生地を通した肌触り等が製品開発の重要な側面であるが、建物用断熱材の場合、軽さや肌触りの考慮はほとんどなく、羽毛布団では使い物にならない素材を活用できる。
（ロ）  特殊な工法でなく、既存に普及している充填断熱工法（図７）とすることで、現在断熱を施工している大工や内装工で施工が可能になり、安価になる。自然素材の断熱材の普及し、環境負荷の軽減につながる。
（ハ）  自然素材そのものであり、結露が発生しにくく、結露防止のための室内側の防水透湿シートの施工が不要になる。（一晩でコップ１杯の程度の水分を排出していると言われている人間が羽毛布団を使用していても結露しない。）
（ニ）  密封性の高い梱包をし、空気を抜くことで、体積を減らせ、一般の断熱材に比べ輸送時のコストを減らすことができる。
【発明を実施するための最良の形態】
【０００８】以下に本発明の製造工程を示す。（図１参照）
（イ）  羽毛に含まれる油分については、撥水性を利用するためとらず、なるべく匂いと汚れだけを取るため、中性洗剤やオゾンなどで洗浄し、乾燥するステップ。
（ロ）  乾燥させた羽毛を選別するステップ。
（ハ）  羽毛にホウ酸やホウ酸化合物を混ぜ、防虫・難燃化するステップ。使用のされ方により、本工程が不要の場合もある。
（ニ）  綿などの生地を難燃化するステップ。使用のされ方により、本工程が不要の場合もある。
（ホ）  生地の縫い代（ｑ）を２ｃｍ程度とし、一部を縫わず羽毛を入れる口とする部分を除き周囲を縫うステップ。縫い代を現場施工時に利用するため、袋の中側を裏がえさない。
（ヘ）  生地袋に防虫・難燃化した羽毛をつめ、生地袋の開口部を縫い、閉じるステップ。【０００９】  以下に本発明の形態について示す。
（ト）  大きさの一例として、幅３０ｃｍ程度・長さ９０ｃｍ程度・厚さ１０ｃｍ程度する（図２参照）。長さ方向には３０ｃｍ程度ごとに中の羽毛が移動しないよう生地と同素材の間仕切り（ｐ）を設ける。
（チ）  素材そのものが軽量であり、羽根の心材（ファイバー）があることにより、隙間なく十分に充填することで沈下のための対策は不要となり、間仕切りを作らないこともある。
（リ）  縫い代（ｑ）を使い、躯体などにタッカーや釘やテープや接着剤などで、所定の位置に断熱材を留め、施工中ずれることがなくなり、施工性を上げることができる。
（ヌ）  役物の大きさは幅１０ｃｍ程度・長さ３０ｃｍ程度・厚さ１０ｃｍとする。（図５参照）羽毛の断熱性能や建物の構造により、寸法を変える。
（ル）  天然羽毛を入れる布については、自然素材である綿が最も望ましいが、ポリエステルなのどの石油を原材料にするものであっても、布でなくメッシュ状態のものであっても、可能である。【００１０】  以下に本発明の使用例を示す。
（ヲ）  壁の施工例としては、間柱などの部材に本発明品の縫い代（ｑ）を使い、所定の位置にタッカーなどで止める（図６・７参照）。その後、室内側の石膏ボード（ｈ）、クロス（ｉ）を順に仕上げる。
（ワ）  床の施工例として、根太などの部材に本発明品の縫い代（ｑ）を使い、所定の位置にタッカーなどで止める（図８参照）。その後、室内側の合板（ｋ）、フローリング（ｊ）を順に仕上げる。
（カ）  ちょうど羽毛布団の状態の断熱材であり、充填箇所に押し込めるため、採寸・切断などの加工が不要で、施工時間の短縮と施工精度が向上する。筋換えがある場合に特に有効となる。詰め込むことで、寸法の調整が済むため、一般の断熱材のように各種寸法の製品をそろえる必要がない。繊維系の断熱材の一部では、繊維方向に対して垂直方向には、圧縮可能で切断調整不要のものがあるが、本発明では、どの方向に対しても切断調整不要である。
（ヨ）  サッシュ周りなどの、細かい箇所には、役物用の細く短いもの（図５）をつめればよく、採寸、切断の必要がなく、施工が早い。
【図面の簡単な説明】
【００１１】
【図１】製造工程フローチャート
【図２】本発明の斜視図
【図３】本発明のＡ−Ａ断面図
【図４】本発明のＢ−Ｂ断面図
【図５】本発明の役物の斜視図
【図６】本発明の壁使用例説明図
【図７】本発明の壁使用例断面図
【図８】本発明の床使用例断面図
【符号の説明】
【００１２】ａ  サイディング
ｂ  竪胴縁
ｃ  通気層
ｄ  気密透湿合板
ｅ  間柱
ｆ  天然羽毛
ｇ  タッカー
ｈ  石膏ボード
ｉ  クロス
ｊ  フローリング
ｋ  合板
ｌ  根太
ｍ  大引
ｏ  布袋
ｐ  仕切り
ｑ  縫い代
【図１】
2006057427.tif 000003
【図２】
2006057427.tif 000004
【図３】
2006057427.tif 000005
【図４】
2006057427.tif 000006
【図５】
2006057427.tif 000007
【図６】
2006057427.tif 000008
【図７】
2006057427.tif 000009
【図８】
2006057427.tif 000010